(57)【要約】【課題】ＰＴＴリモコン装置を低コストに仕上げるとともに、バッテリー消費を抑えられるようにする。【解決手段】スピーカー２２やマイク２１などの音声入出力装置２と、スマートフォンなどの無線通信装置４と、無線通信装置４の送受信状態を切り替えるＰＴＴリモコン装置３とを備え、ＰＴＴリモコン装置３のＰＴＴボタン３１が押下された場合、その押下された情報を無線通信装置４に送信し、前記マイク２１で入力された音声情報を音声入出力装置２から無線通信装置４に出力して、公衆回線を介して他の無線通信装置４に送信する。また、ＰＴＴボタン３１が押下されていない場合、他の無線通信装置４から送信されてきた音声情報を受信し、無線通信装置４から音声入出力装置２に出力してスピーカー２２から出力する。また、近距離通話を行う際は、音声入出力装置２の近距離通話ボタン２３が押下されることによって、直接音声入出力装置２間で会話を行う。【選択図】図２
2017092746.tif 000002
【特許請求の範囲】
【請求項１】
スピーカーやマイクなどの音声入出力装置と、
当該音声入出力装置のマイクから入力された音声情報を他の無線通信装置に送信し、また、他の無線通信装置から送信されてきた音声情報を受信する無線通信装置と、
当該無線通信装置の送受信状態を切り替えるＰＴＴリモコン装置と、
を備えてなるハンズフリー通話システムにおいて、
前記ＰＴＴリモコン装置のＰＴＴボタンが押下された場合、当該押下された情報を無線通信装置に送信し、前記マイクから入力されてきた音声情報を音声入出力装置から無線通信装置に直接出力して他の無線通信装置に送信し、
前記ＰＴＴリモコン装置のＰＴＴボタンが押下されていない場合、他の無線通信装置から送信されてきた音声情報を当該受信して無線通信装置から前記音声入出力装置に直接出力して前記スピーカーから出力させるようにした、
ことを特徴とするハンズフリー通話システム。
【請求項２】
前記ＰＴＴリモコン装置が、バイクのハンドルに着脱可能に取り付けられるものである請求項１に記載のハンズフリー通話システム。
【請求項３】
前記音声入出力装置が近距離通話ボタンを備えるものであり、
当該近距離通話ボタンが押下された場合、近距離無線領域内に存在する他の音声入出力装置に対して直接前記マイクから入力された音声情報を送信するようにした請求項１に記載のハンズフリー通話システム。
【請求項４】
スピーカーやマイクなどの音声入出力装置に接続され、ＰＴＴリモコン装置のＰＴＴボタンが押下されることによって送受信状態を切り替えるようにした無線通信装置において、
ＰＴＴリモコン装置のＰＴＴボタンの押下の信号が入力された場合、マイクを介して入力された音声情報を音声入出力装置から受信して他の無線通信装置に送信し、
ＰＴＴリモコン装置のＰＴＴボタンの押下の信号が入力されていない場合、他の無線通信装置から送信されてきた音声情報を当該受信して無線通信装置からスピーカーに出力するようにしたことを特徴とする無線通信装置。
【発明の詳細な説明】
【技術分野】
【０００１】
本発明は、ツーリング中であっても遠方にいる複数の仲間と通話できるようにしたハンズフリー通話システムに関するものである。
【背景技術】
【０００２】
近年、ツーリング中に仲間と通話できるようにしたハンズフリー通話システムが各種提案されている。この通話システムは、ヘルメットに装着されたインターカムを用いて近くを走行する仲間と通話できるようにしたものであって、装置本体に設けられたボタンを押下することによって、Ｂｌｕｅｔｏｏｔｈ（登録商標）やＦＭトランシーバーなどのような近距離無線を用いて近くの仲間と単通話方式で通話できるようにしたものである。
【０００３】
ところで、このようなハンズフリー通話システムでは、無線の通信範囲内である数十メートルの範囲内に限定された仲間としか通話することができないが、下記の特許文献１には、遠方の仲間と通話できるようにしたハンズフリー通話システムが提案されている。
【０００４】
この特許文献１に記載されるハンズフリー通話システムは、図６に示すように、ヘッドセット９１やＰＴＴ（Ｐｕｓｈ  Ｔｏ  Ｔａｌｋ）リモコン装置９２、携帯型通話機９４などを備えて構成されるものであって、このうちヘッドセット９１は、マイクやヘッドホンなどで構成されている。また、ＰＴＴリモコン装置９２は、首から掛けられるようにしたものであって、発話した場合には本体のＰＴＴボタン９３を押下するようにしたものである。また、携帯型通話機９４は、携帯電話やＰＨＳ、ＰＤＡなどの機器で構成されるものであって、第三者に対して音声情報を送信できるようにしたものである。そして、このような構成において発話する場合は、ＰＴＴボタン９３を押下するとともに、ヘッドセット９１のマイクから会話を発する。すると、その音声情報がＰＴＴリモコン装置９２に送信され、そこで音声処理された後、その情報を携帯型通話機９４に送信して他の通話仲間に一斉に配信されるようになる。また、逆に、第三者の音声情報を受信する場合は、携帯型通話機９４によって受信された音声情報をＰＴＴリモコン装置９２に出力し、そこで音声処理を行った後、ヘッドセット９１のヘッドホンからその音声情報を出力するようにしている。
【先行技術文献】
【特許文献】
【０００５】
【特許文献１】特開２００９−１５９４０２号公報
【発明の概要】
【発明が解決しようとする課題】
【０００６】
しかしながら、このようなハンズフリー通話システムを用いてバイクで通話を行う場合に、次のような問題がある。
【０００７】
まず、第一に上記特許文献１に示されるようなハンズフリー通話システムでは、ヘッドセットからの発話情報をＰＴＴリモコン装置に一旦送信し、そこで音声処理を行うとともに、その音声処理信号を携帯型通話機に出力するようにしているため、音声処理を行うための回路や送受信回路をＰＴＴリモコン装置に組み込む必要がある。このため、そのＰＴＴリモコン装置が高価なものになってしまうばかりでなく、音声処理や送受信を行うためにバッテリーを消耗してしまうことになるといった問題があった。
【０００８】
そこで、本発明は、上記課題を解決するために、ＰＴＴリモコン装置を低コストに仕上げるとともに、バッテリー消費を抑えられるようにしたハンズフリー通話システムを提供することを目的とする。
【課題を解決するための手段】
【０００９】
すなわち、本発明は上記課題を解決するために、スピーカーやマイクなどの音声入出力装置と、当該音声入出力装置のマイクから入力された音声情報を他の無線通信装置に送信し、また、他の無線通信装置から送信されてきた音声情報を受信する無線通信装置と、当該無線通信装置の送受信状態を切り替えるＰＴＴリモコン装置とを備えてなるハンズフリー通話システムにおいて、前記ＰＴＴリモコン装置のＰＴＴボタンが押下された場合、当該押下された情報を無線通信装置に送信し、前記マイクから入力されてきた音声情報を音声入出力装置から無線通信装置に直接出力して他の無線通信装置に送信し、前記ＰＴＴリモコン装置のＰＴＴボタンが押下されていない場合、他の無線通信装置から送信されてきた音声情報を当該受信して無線通信装置から前記音声入出力装置に直接出力して前記スピーカーから出力させるようにしたものである。
【００１０】
このように構成すれば、ＰＴＴリモコン装置が押下された情報を無線通信装置に出力するだけで音声情報を他の無線通信装置に送信することができるため、ＰＴＴリモコン装置のコストを低減させることができるとともに、バッテリーの消費も抑えることができるようになる。
【００１１】
また、このような発明において、前記ＰＴＴリモコン装置をバイクのハンドルに着脱可能に取り付けるようにする。
【００１２】
このようにすれば、バイクの運転中であってもハンドルを握ったままＰＴＴボタンを押下することができ、送受信を切り替えることができるようになる。
【００１３】
さらに、前記音声入出力装置に、近距離通話ボタンを備えるようにし、当該近距離通話ボタンが押下された場合、近距離無線領域内に存在する他の音声入出力装置に対して直接前記マイクから入力された音声情報を送信できるようにする。
【００１４】
このように構成すれば、遠距離通話で登録されている仲間と近距離の仲間とをボタン一つで切り替えて通話することができるようになる。
【発明の効果】
【００１５】
本発明によれば、スピーカーやマイクなどの音声入出力装置と、当該音声入出力装置のマイクから入力された音声情報を他の無線通信装置に送信し、また、他の無線通信装置から送信されてきた音声情報を受信する無線通信装置と、当該無線通信装置の送受信状態を切り替えるＰＴＴリモコン装置とを備えてなるハンズフリー通話システムにおいて、前記ＰＴＴリモコン装置のＰＴＴボタンが押下された場合、当該押下された情報を無線通信装置に送信し、前記マイクから入力されてきた音声情報を音声入出力装置から無線通信装置に直接出力して他の無線通信装置に送信し、前記ＰＴＴリモコン装置のＰＴＴボタンが押下されていない場合、他の無線通信装置から送信されてきた音声情報を当該受信して無線通信装置から前記音声入出力装置に直接出力して前記スピーカーから出力させるようにしたので、ＰＴＴリモコン装置のコストを低減させることができるとともに、バッテリーの消費も抑えることができるようになる。
【図面の簡単な説明】
【００１６】
【図１】本発明の一実施の形態におけるハンズフリー通話システムを示す概略図
【図２】同形態における機能ブロック図
【図３】同形態におけるＰＴＴリモコン装置をハンドルに装着した状態図
【図４】同形態における処理の流れを示す図
【図５】同形態におけるフローチャート
【図６】従来例を示す図
【発明を実施するための形態】
【００１７】
以下、本発明の一実施の形態を示すハンズフリー通話システム１について図面を参照しながら説明する。
【００１８】
この実施の形態におけるハンズフリー通話システム１は、図１や図２に示すように、スピーカー２２やマイク２１（図２参照）などの音声入出力装置２、携帯電話などの無線通信装置４、この無線通信装置４の送受信状態を切り替えるＰＴＴリモコン装置３などを備えて構成されている。そして、特徴的に、ＰＴＴリモコン装置３のＰＴＴボタン３１が押下された場合に、その押下された情報を無線通信装置４に送信して、マイク２１から入力されてきた音声情報を音声入出力装置２から無線通信装置４に直接出力し、公衆回線を介して他の仲間の無線通信装置４に送信できるようにしたものである。また、逆に音声情報を受信する場合は、ＰＴＴリモコン装置３のＰＴＴボタン３１が押下されていない状況で、他の無線通信装置４から送信されてきた音声情報を当該受信して無線通信装置４から音声入出力装置２に直接出力し、そのスピーカー２２から出力させるようにしたものである。以下、本実施の形態におけるハンズフリー通話システム１の構成について詳細に説明する。
【００１９】
音声入出力装置２は、無線通信装置４と独立して設けられるものであって、マイク２１やスピーカー２２などを設けている。この音声入出力装置２には、図２の機能ブロック図に示すように、第一送受信部２４が備えられており、マイク２１を介して入力された音声情報をその第一送受信部２４を介して無線通信装置４に直接出力し、また逆に、無線通信装置４の第二送受信部４１から出力されてきた音声情報を第一送受信部２４を介して直接受信してスピーカー２２から出力する。この第一送受信部２４としては、Ｂｌｕｅｔｏｏｔｈ（登録商標）を介して無線通信装置４と送受信できるようになっており、事前にその無線通信装置４とペアリングした状態で送受信できるようになっている。ここで、この音声入出力装置２は、図１に示すように、ヘルメットの側部に着脱可能に装着され、本体に設けられた近距離通話ボタン２３が押下されることによって、その第一送受信部２４を介してペアリングされた他の音声入出力装置２と直接通話できるようになっている。すなわち、遠方の仲間と通話する場合は、ＰＴＴリモコン装置３や無線通信装置４を介して通話を行い、近距離の仲間と通話する場合は、無線通信装置４の共通の第一送受信部２４を介して通話できるようになっている。
【００２０】
一方、ＰＴＴリモコン装置３は、音声入出力装置２からの発話を行えるようにしたものであって、Ｂｌｕｅｔｏｏｔｈを介してペアリングされた無線通信装置４にＰＴＴ信号を出力する。このＰＴＴ信号は、本体に設けられたＰＴＴボタン３１が押下されたときに無線通信装置４に出力されるようになっており、図２に示すＰＴＴ送信部３２を介してそのＰＴＴ信号が無線通信装置４に向けて出力される。このＰＴＴリモコン装置３は、好ましくは、図３に示すように、バイクの運転者がハンドルを握った状態でＰＴＴボタン３１を押下できるような位置に取り付けられ、例えば、ハンドルの左側のグリップ近傍にベルトを介して着脱可能に取り付けられる。なお、このようにバイクのハンドルに取り付けた場合、そのＰＴＴリモコン装置３が盗まれる可能性があるが、従来のように音声処理回路や受信回路などを設ける必要がないため、低コストに仕上げることができ、仮に盗難に遭った場合であっても被害を最小限にとどめることができる。
【００２１】
また、無線通信装置４は、公衆回線を用いて第三者と通話できるような携帯電話、ＰＨＳ、ＰＤＡなどで構成されるものであって、好ましくは、アプリケーションプログラムをダウンロードできるようなスマートフォンが用いられる。この無線通信装置４には、図２の機能ブロック図に示すように、音声入出力装置２やＰＴＴリモコン装置３と送受信する第二送受信部４１、アプリケーションプログラムを格納する記憶部４２、公衆回線を用いて音声信号やデータなどを送受信する通信部４３などを備えて構成されている。このうち、第二送受信部４１は、ペアリングされた状態でＢｌｕｅｔｏｏｔｈを介して音声入出力装置２の第一送受信部２４やＰＴＴリモコン装置３のＰＴＴ送信部３２を介してデータの送受信を行う。
【００２２】
また、この記憶部４２にダウンロードされるアプリケーションプログラムは、無線通信装置４に内蔵されたＣＰＵやメモリなどの他のデバイスを協働させて次のような機能を実現させる。
【００２３】
まず、このアプリケーションプログラムは、通話を行うためのグループ登録を行うグループ登録部４２１を有する。このグループは、特定の仲間が発話した際に、その発話情報を受信できる仲間を特定できるようにしたものであって、ＩＤやパスワードを設定することによってグループを登録できるようになっている。このグループに登録されると、発話が可能になるとともにグループ内の仲間が発話した音声情報を一斉に受信することが可能になる。
【００２４】
また、送受信切替部４２２は、会話情報の送信と受信を切り替えられるようにしたものであって、ＰＴＴリモコン装置３のＰＴＴボタン３１が押下されることによるＰＴＴ信号が受信された場合に送信側に切り替え、また、ＰＴＴボタン３１が押下されていない状況下では受信側に切り替えて音声情報の送受信を行えるようにしている。
【００２５】
音声処理部４２３は、音声入出力装置２から出力されてきた音声情報を公衆回線を介してグループ内の他の仲間に送信できるようにするとともに、他の仲間から送信されてきた音声情報を音声入出力装置２のスピーカー２２から出力できるようにＡ／Ｄ変換などの信号処理を行う。この信号処理された音声情報は通信部４３に出力され、公衆回線（３Ｇ回線）を介してグループ内の他の仲間に送信される。
【００２６】
次に、このようなハンズフリー通話システム１を用いた通話方法について図４や図５のフローチャートを用いて説明する。
【００２７】
まず、通話を行うに際して、無線通信装置４のアプリケーションプログラムを起動させ、ＩＤやパスワードなどを入力してグループ登録をしておき、また、そのアプリケーションプログラムを起動させておくものとする。また、システム側の設定として、あらかじめ音声入出力装置２やＰＴＴリモコン装置３、無線通信装置４のＢｌｕｅｔｏｏｔｈのペアリングを行うとともに、近距離通話を行う他の仲間の音声入出力装置２との間でもペアリングを行っておくものとする。
【００２８】
この状態でツーリング中にある仲間が発話を行う場合、ハンドルに設けられたＰＴＴボタン３１を押下する（ステップＳ１）。すると、そのＰＴＴ信号がＰＴＴ送信部３２を介して無線通信装置４の第二送受信部４１に出力され（ステップＳ２）、送受信切替部４２２が送信側に切り替えられる（ステップＳ３）。
【００２９】
その状態で仲間が音声入出力装置２のマイク２１から会話を入力すると、その音声情報が第一送受信部２４を介して直接無線通信装置４の第二送受信部４１に出力され（ステップＳ４）、音声処理部４２３で音声処理された後、通信部４３を介してグループ内の他の仲間に一斉送信される（ステップＳ５）。このとき、公衆回線を介して音声情報が送信されるので、その公衆回線網の範囲内に存在する遠方の仲間にはその音声情報を送信することができるようになる。
【００３０】
一方、音声情報を受信した他の仲間の方では（ステップＳ６）、ＰＴＴボタン３１が押下されていない状況下では送受信切替部４２２が受信側に設定されているので、その音声情報を受信することができ、音声処理部４２３を介して音声処理した後、第二送受信部４１や第一送受信部２４を介して音声入出力装置２側にその音声情報が出力される（ステップＳ７）。そして、その音声入出力部のスピーカー２２を介して音声を出力する（ステップＳ８）。
【００３１】
一方、近距離通話を行う場合、音声入出力装置２の近距離通話ボタン２３が押下されることによって（ステップＳ９）、音声情報を第一送受信部２４を介して他の仲間の音声入出力装置２に送信し（ステップＳ１０）、その仲間の第一送受信部２４を介して音声情報を受信して音声情報をスピーカー２２から出力できるようにする。
【００３２】
このように上記実施の形態によれば、スピーカー２２やマイク２１などの音声入出力装置２と、当該音声入出力装置２のマイク２１から入力された音声情報を他の無線通信装置４に送信し、また、他の無線通信装置４から送信されてきた音声情報を受信する無線通信装置４と、当該無線通信装置４の送受信状態を切り替えるＰＴＴリモコン装置３とを備えてなるハンズフリー通話システム１において、前記ＰＴＴリモコン装置３のＰＴＴボタン３１が押下された場合、当該押下された情報を無線通信装置４に送信し、前記マイク２１から入力されてきた音声情報を音声入出力装置２から無線通信装置４に出力して他の無線通信装置４に送信し、前記ＰＴＴリモコン装置３のＰＴＴボタン３１が押下されていない場合、他の無線通信装置４から送信されてきた音声情報を当該受信して無線通信装置４から前記音声入出力装置２に出力し、前記スピーカー２２から出力するようにしたので、ＰＴＴリモコン装置３のコストを低減させることができるとともに、バッテリーの消費も抑えることができるようになる。
【００３３】
また、ＰＴＴリモコン装置３を、図３に示すように、バイクのハンドルに着脱可能に取り付けるようにしたので、バイクの運転中であってもハンドルを握った状態でＰＴＴボタン３１を押下することができ、送受信を切り替えることができるようになる。
【００３４】
さらに、音声入出力装置２に近距離通話ボタン２３を設けるようにしておき、この近距離通話ボタン２３が押下された場合に、近距離無線領域内に存在する他の音声入出力装置２に対して直接前記マイク２１から入力された音声情報を送信できるようにしたので、遠距離通話で登録されている仲間と近距離の仲間とをボタン一つで切り替えて通話することができるようになる。
【００３５】
なお、本発明は上記実施の形態に限定されることなく、種々の態様で実施することができる。
【００３６】
例えば、上記実施の形態では、音声入出力装置２をヘルメットに装着される一体型のインターカムで構成するようにしたが、それぞれマイク２１やスピーカー２２などを分離したヘッドセットなどのように構成してもよい。
【００３７】
また、上記実施の形態では、音声入出力装置２やＰＴＴリモコン装置３、無線通信装置４をそれぞれＢｌｕｅｔｏｏｔｈで無線接続するようにしたが、それ以外の無線方式で接続するようにしてもよく、あるいは、有線で接続するようにしてもよい。
【００３８】
さらに、上記実施の形態では、無線通信装置４としてスマートフォンなどのような携帯電話を用いて説明したが、専用の無線通信機などで構成してもよい。
【００３９】
また、上記実施の形態では、スマートフォンにダウンロードされたアプリケーションプログラムによって遠方の仲間と通話できるようにしたが、通話を行う際に、バイクの風切音や周囲の騒音などをカットするためのフィルターを音声処理部４２３に組み込んでおき、そのフィルターを用いてクリアな音で会話できるようにしてもよい。このようなフィルターとしては、音声情報の中に含まれる低周波領域のホワイトノイズを除去するフィルターを用い、これをアプリケーションプログラムの中に組み込むようにしてもよい。
【００４０】
また、上記実施の形態では、ＰＴＴリモコン装置３にＰＴＴボタン３１を設けるようにしたが、音声ボリュームを調整するボリュームボタンなどを設けるようにしてもよい。このようなボリュームボタンを設けるようにすれば、走行時に音声が聞こえにくい場合にハンドルを握りながらボリュームを上げることができたり、あるいは、停止時に音声が大きいと感じた場合にはボリュームを下げたりすることができる。このようなボリュームボタンによる信号は、無線通信装置４側に出力され、そこでボリュームを調整して音声入出力装置２側に音声情報を出力できるようにするとよい。
【符号の説明】
【００４１】
１・・・ハンズフリー通話システム
２・・・音声入出力装置
２１・・・マイク
２２・・・スピーカー
２３・・・近距離通話ボタン
２４・・・第一送受信部
３・・・ＰＴＴリモコン装置
３１・・・ＰＴＴボタン
３２・・・ＰＴＴ送信部
４・・・無線通信装置
４１・・・第二送受信部
４２・・・記憶部
４３・・・通信部
４２１・・・グループ登録部
４２２・・・送受信切替部
４２３・・・音声処理部
【図１】
2017092746.tif 000003
【図２】
2017092746.tif 000004
【図３】
2017092746.tif 000005
【図４】
2017092746.tif 000006
【図５】
2017092746.tif 000007
【図６】
2017092746.tif 000008